(57)【要約】【課題】会議用の主画像を投影しつつ、当該画像が投影されている間の議事の内容に基づいた議事録を副画像として投影して、会議を進行させることができる画像投影装置を提供する。【解決手段】画像情報に基づいた主画像２１を投影する主画像投影領域２４を設定する投影領域設定部と、主画像投影領域２４に応じたサイズの主画像データを生成する画像生成部と、生成した画像データに基づいた画像を設定された投影領域に投影する投影部と、編集用情報を取得する編集用情報取得部とを備え、投影領域設定部は、主画像に加えて編集用情報に基づいた副画像を投影する編集モードへの切り替え指示を受けたとき、主画像投影領域２４を縮小し、主画像投影領域２４の縮小によって生じた主画像非投影領域に副画像２３を投影する副画像投影領域２５を設定し、画像生成部は、副画像投影領域２５のサイズに応じた副画像データを編集用情報に基づいて生成する。【選択図】図１
2009075238.tif 000002
【特許請求の範囲】
【請求項１】
画像情報を取得する画像情報取得部と、前記画像情報に基づいた主画像を投影する主画像投影領域を設定する投影領域設定部と、前記主画像投影領域に応じたサイズの主画像データを前記画像情報に基づいて生成する画像生成部とを備え、前記画像生成部により生成した画像データに基づいた画像を設定された投影領域に投影する画像投影装置であって、
編集用情報を取得する編集用情報取得部を備え、
前記投影領域設定部は、前記主画像に加えて前記編集用情報に基づいた副画像を投影する編集モードへの切り替え指示を受けたとき、前記主画像投影領域を縮小し、前記主画像投影領域の縮小によって生じた主画像非投影領域に前記副画像を投影する副画像投影領域を設定し、
前記画像生成部は、前記副画像投影領域のサイズに応じた副画像データを前記編集用情報に基づいて生成する画像投影装置。
【請求項２】
前記編集用情報取得部は、複数の端末装置からそれぞれ編集用情報を取得し、
前記投影領域設定部は、前記副画像投影領域を複数設定して、各前記端末装置に各前記副画像投影領域を割り当て、
前記画像生成部は、各前記副画像投影領域のサイズに応じた副画像データを各前記編集用情報に基づいて生成する
ことを特徴とする請求項１に記載の画像投影装置。
【請求項３】
前記編集用情報取得部で取得した前記編集用情報を前記画像情報取得部によって取得した画像情報に関連づけて記憶手段に記憶する記憶処理部を備えたことを特徴とする請求項１又は請求項２に記載の画像投影装置。
【請求項４】
前記投影領域設定部は、前記設定する前記主画像投影領域及び／又は前記副画像投影領域を変更可能としたことを特徴とする請求項１〜３の何れか１項に記載の画像投影装置。
【請求項５】
前記副画像投影領域の位置及び／又は前記主画像投影領域の位置を変更指示する画像位置指定手段を備え、
前記投影領域設定部は、前記副画像位置指定手段によって指定された位置に前記副画像投影領域及び／又は前記主画像投影領域を変更することを特徴とする請求項４に記載の画像投影装置。
【請求項６】
前記主画像投影領域のサイズ及び／又は前記副画像投影領域のサイズを変更指示する画像サイズ変更指示手段を備え、
前記投影領域設定部は、前記画像サイズ指定手段によって指示されたサイズに前記主画像投影領域及び／又は前記副画像投影領域を変更することを特徴とする請求項４又は請求項５に記載の画像投影装置。
【請求項７】
前記投影領域設定部は、前記副画像投影領域を設定している状態で、前記副画像投影領域に投影する編集用情報の情報量が所定量以上となったとき、前記主画像投影領域をさらに縮小する一方、前記副画像投影領域を拡大することを特徴とする請求項１〜６の何れか１項に記載の画像投影装置。
【発明の詳細な説明】
【技術分野】
【０００１】
本発明は、画像投影装置に関し、特に、取得した画像情報に基づいた画像を投影する画像投影装置に関するものである。
【背景技術】
【０００２】
従来より、画像投影装置として、例えば、コンピュータ装置等から画像情報を入力して液晶表示素子に当該画像を表示し、この液晶表示素子に光を照射して投影スクリーン上に拡大投影するプロジェクタなどが広く使用されている。
【０００３】
この種のプロジェクタは、複数人が参加して行われる会議等において多く使用されており、かかるプロジェクタを用いることにより、大画面に映し出された一つの画像を複数の参加者が同時に見ながら議論を進めていくことができる。
【０００４】
また、従来より、複数人が参加して行われる会議等において、当該会議等においてなされた発言の内容を記述あるいは録音等により記録する、いわゆる議事録の作成が行われており、近年においては、スクリーン上に投影された画像と、会議等においてなされた議論の内容とを関連付けて記憶することにより議事録データの作成を行う画像投影装置が提案されている。例えば、特許文献１には、投影した画像の画像データと、当該画像が投影されている間になされた発言の音声データとからなる議事録データを作成することのできる画像投影装置が開示されている。
【特許文献１】特開２００６−１３８９７２号公報
【発明の開示】
【発明が解決しようとする課題】
【０００５】
しかしながら、特許文献１に記載の発明は、投影画像と関連付けられて記憶されるデータが音声データであるため、例えば、会議中に議事録を作成しつつ、作成した議事録を参照しながら議論を進めていくことは困難である。
【０００６】
そこで、本発明は、会議用の主画像を投影しつつ、当該主画像が投影されている間の議事の内容に基づいた議事録を副画像として投影して、会議を進行させることができる画像投影装置を提供することを目的とするものである。
【課題を解決するための手段】
【０００７】
上記課題を解決するために、請求項１に記載の発明は、画像情報を取得する画像情報取得部と、前記画像情報に基づいた主画像を投影する主画像投影領域を設定する投影領域設定部と、前記主画像投影領域に応じたサイズの主画像データを前記画像情報に基づいて生成する画像生成部とを備え、前記画像生成部により生成した画像データに基づいた画像を設定された投影領域に投影する画像投影装置であって、編集用情報を取得する編集用情報取得部を備え、前記投影領域設定部は、前記主画像に加えて前記編集用情報に基づいた副画像を投影する編集モードへの切り替え指示を受けたとき、前記主画像投影領域を縮小し、前記主画像投影領域の縮小によって生じた主画像非投影領域に前記副画像を投影する副画像投影領域を設定し、前記画像生成部は、前記副画像投影領域のサイズに応じた副画像データを前記編集用情報に基づいて生成することを特徴とする。
【０００８】
また、請求項２に記載の発明は、請求項１に記載の発明において、前記編集用情報取得部は、複数の端末装置からそれぞれ編集用情報を取得し、前記投影領域設定部は、前記副画像投影領域を複数設定して、各前記端末装置に各前記副画像投影領域を割り当て、前記画像生成部は、各前記副画像投影領域のサイズに応じた副画像データを各前記編集用情報に基づいて生成することを特徴とする。
【０００９】
また、請求項３に記載の発明は、請求項１又は請求項２に記載の発明において、前記編集用情報取得部で取得した前記編集用情報を前記画像情報取得部によって取得した画像情報に関連づけて記憶手段に記憶する記憶処理部を備えたことを特徴とする。
【００１０】
また、請求項４に記載の発明は、請求項１〜３の何れか１項に記載の発明において、前記投影領域設定部は、前記設定する前記主画像投影領域及び／又は前記副画像投影領域を変更可能としたことを特徴とする。
【００１１】
また、請求項５に記載の発明は、請求項４に記載の発明において、前記副画像投影領域の位置及び／又は前記主画像投影領域の位置を変更指示する画像位置指定手段を備え、前記投影領域設定部は、前記副画像位置指定手段によって指定された位置に前記副画像投影領域及び／又は前記主画像投影領域を変更することを特徴とする。
【００１２】
また、請求項６に記載の発明は、請求項４又は請求項５に記載の発明において、前記主画像投影領域のサイズ及び／又は前記副画像投影領域のサイズを変更指示する画像サイズ変更指示手段を備え、前記投影領域設定部は、前記画像サイズ指定手段によって指示されたサイズに前記主画像投影領域及び／又は前記副画像投影領域を変更することを特徴とする。
【００１３】
また、請求項７に記載の発明は、請求項１〜６の何れか１項に記載の発明において、前記投影領域設定部は、前記副画像投影領域を設定している状態で、前記副画像投影領域に投影する編集用情報の情報量が所定量以上となったとき、前記主画像投影領域をさらに縮小する一方、前記副画像投影領域を拡大することを特徴とする。
【発明の効果】
【００１４】
請求項１に記載の発明によれば、編集モードへの切り替え指示を受けることにより、主画像投影領域を縮小するとともに当該主画像投影領域の縮小によって生じた主画像非投影領域に編集用情報に基づいた副画像を投影する副画像投影領域を設定し、この副画像投影領域のサイズに応じた副画像データを編集用情報に基づいて生成するため、全投影領域に画像情報に基づく主画像と編集用情報に基づく副画像とを、主画像と副画像とが重複することなく同時に投影することができる。
【００１５】
したがって、例えば、本発明に係る画像投影装置を用いた会議において、主画像投影領域にプレゼンテーション用の画像である主画像を投影するとともに、副画像投影領域に会議の議事内容に基づく編集用情報を副画像として投影することにより、会議の参加者は、プレゼンテーション用の画像と議事内容とを同時に見ることができるため、当該会議を円滑に行うことができ、議事録の編集も容易に行うことができる。さらに、主画像及び副画像の同時投影を一つの画像投影装置を用いて行うため、複数の画像投影装置を用いた場合に比べて消費電力を抑えることができ、設置スペースを縮小させることもできる。
【００１６】
請求項２に記載の発明によれば、複数の端末装置からそれぞれ取得した編集用情報に基づく複数の副画像データを、各端末装置に割り当てられた副画像投影領域のサイズに応じて生成する。
【００１７】
すなわち、例えば、複数の端末装置と画像投影装置とを接続させて会議を行う場合、この複数の端末装置から取得した編集用情報に基づく副画像を、端末装置ごと分けて投影することため、どの副画像投影領域に投影されているコメント（副画像）がどの端末装置のユーザーによりなされたものかが容易に把握でき、複数人により行われる会議や作業をより効率的に行うことができる。
【００１８】
請求項３に記載の発明によれば、編集用情報を画像情報と関連付けて記憶するため、例えば、画像投影装置を用いた会議においてなされた議論の内容を後日確認することができる。さらに、編集用情報とともに主画像投影領域の位置、サイズ、及び副画像投影領域の位置、サイズを記憶することにより、例えば、会議が中断された場合であっても、主画像及び副画像のレイアウトを再現できるため、当該会議を再開する際、違和感なく再開させることができる。
【００１９】
請求項４に記載の発明によれば、会議等の態様によって、主画像投影領域及び／又は副画像投影領域の最適な位置或いはサイズを予め設定しておくことができるため、会議等をスムーズに進行させることができる。
【００２０】
請求項５に記載の発明によれば、画像位置指定手段を備えることにより、会議等の進行状況等に応じて主画像や副画像の位置を変更できるため、当該会議等をスムーズに進行させることができる。
【００２１】
請求項６に記載の発明によれば、画像サイズ変更指示手段を備えることにより、会議等の進行状況等に応じて主画像投影領域及び／又は副画像投影領域のサイズを変更することができるため、会議等をスムーズに進行させることができる。
【００２２】
請求項７に記載の発明によれば、編集用情報の情報量が所定以上になった場合であっても、主画像投影領域をさらに縮小する一方、副画像投影領域を拡大することにより、副画像と主画像とを、重複することなく同時に投影させることができる。
【発明を実施するための最良の形態】
【００２３】
以下に、本発明に係る画像投影装置の一実施の形態について、図面を参照して具体的に説明する。
【００２４】
図１は、本実施形態における画像投影装置により投影される画像の例を示す図であり、図２は、本実施形態における画像投影装置の概略構成図であり、図３は、本実施形態における画像投影装置が複数の端末装置と接続している場合に投影される画像の例を示す図であり、図４は、本実施形態における画像投影装置の全投影領域における主画像投影領域の位置の変更例を示す図であり、図５は、本実施形態における画像投影装置の副画像投影領域に投影される編集用情報の情報量に応じて主画像投影領域及び副画像投影領域が変化する様子を例示した図である。
【００２５】
［１．画像投影装置の概要］
本実施形態に係る画像投影装置は、図１に示すように、投影手段により投影可能な投影領域２０（以下、「全投影領域２０」と呼ぶ。）に主画像投影領域２４と副画像投影領域２５とを設定し、主画像投影領域２４に画像情報に基づいた主画像２１を投影するとともに、副画像投影領域２５にテキスト情報や画像情報などからなる編集用情報に基づいた副画像２３を投影する「編集モード」を備えている。本実施形態に係る画像投影装置は、この「編集モード」を備えることにより、１台の画像投影装置で、主画像２１と副画像２３とを同時に投影することができるため、例えば、画像投影装置を用いた会議等において、プレゼンテーション用の画像とともに、当該画像に対する会議の参加者からのコメント等を同時に投影することができ、画像投影装置を用いた会議や作業を効率よく行うことができる。なお、従来の画像投影装置と同様、全投影領域２０に主画像２１のみを投影することもでき、本実施形態において、この状態を「通常モード」とする。
【００２６】
図２に示すように、本実施形態に係る画像投影装置１は、画像情報を取得する画像情報取得部１０と、画像情報取得部１０で取得した画像情報に基づいた主画像２１を投影する主画像投影領域２４を設定する投影領域設定部１１と、テキスト情報や画像情報からなる編集用情報を取得する編集用情報取得部１２と、主画像投影領域２４に応じたサイズの主画像データを画像情報に基づいて生成し、また、副画像投影領域２５のサイズに応じた副画像データを編集用情報に基づいて生成する画像生成部１３と、編集用情報取得部１２で取得した編集用情報を画像情報取得部１０で取得した画像情報に関連づけて記憶手段に記憶する記憶処理部１４と、副画像投影領域２５の位置及び／又は主画像投影領域２４の位置を変更指示する画像位置指定手段１５と、主画像投影領域２４のサイズや副画像投影領域２５のサイズを変更指示する画像サイズ変更指示手段１６と、画像生成部１３により生成した画像データに基づいた画像を投影領域設定部１１によって設定された投影領域に投影する投影手段１７とを備えている。
【００２７】
主画像２１は、画像情報に基づく画像であり、画像情報としては、各種の静止画データ、動画データなどの他、文書データなどが含まれる。上記画像情報取得部１０は、これらの主画像２１の画像情報を、記憶処理部１４内の記憶領域又は画像投影装置１の外部の記憶装置３（例えば、画像投影装置１に装着されたメモリカードなどの記憶媒体或いは画像投影装置１に通信可能に接続された他のコンピュータ装置など）から取得する。
【００２８】
画像投影装置１の全投影領域２０のうち主画像２１が投影される領域である主画像投影領域２４は、投影領域設定部１１によって設定されるものであり、画像投影装置１は、画像生成部１３により主画像投影領域２４に応じたサイズの主画像データを画像情報に基づいて生成し、この主画像データに基づいた画像を投影手段１７により主画像投影領域２４に投影する。
【００２９】
そして、本実施形態に係る画像投影装置１は、編集モードへの切り替え指示を受けることにより、編集用情報に基づく画像である副画像２３を主画像２１と同時に投影することができる。
【００３０】
ここで、編集用情報とは、文字を示すＪＩＳコードやＡＳＣＩＩコード等のコード情報の他、何らかの文字を示すテキスト情報、手書き文字の画像情報（タブレットなどから入力された情報）などからなり、編集用情報取得部１２により取得される。編集用情報取得部１２は、この編集用情報を、記憶処理部１４内の記憶領域又は画像投影装置１と通信可能に接続された端末装置４などから取得する。
【００３１】
すなわち、画像投影装置１は、通常モードから編集モードへの切り替え指示を受けると、投影領域設定部１１により、主画像投影領域２４を縮小し、主画像投影領域２４の縮小によって生じた主画像非投影領域に副画像２３を投影する副画像投影領域２５を設定し、さらに、画像生成部１３により、副画像投影領域２５のサイズに応じた副画像データを設定情報に基づいて生成し、副画像データに基づく画像を投影手段１７により副画像投影領域２５に投影する。
【００３２】
このように本実施形態に係る画像投影装置１は、通常モードから編集モードへの切り替えによって、画像情報に基づく主画像２１と共に、編集用情報に基づく副画像２３を同時に投影することができるため、例えば、画像投影装置を用いた会議において、プレゼンテーション用の画像（主画像２１）と共に、当該画像が投影されている間のコメント等の議事内容に基づいた画像（副画像２３）を同時に投影することにより、会議の参加者は、プレゼンテーション用の画像と議事内容とを同時に見ることができ、会議中にそれまでの議事内容を振り返りながら議論を進めることができるため、当該会議を円滑に行うことができ、議事録の編集も容易に行うことができる。
【００３３】
さらに、本実施形態にかかる画像投影装置１は、主画像２１と副画像２３とを一つの画像投影装置１を用いて同時に投影するため、複数の画像投影装置を用いた場合に比べ、消費電力を抑え、設置スペースを小さくすることができ、さらに、準備や後片付けにかかる手間も少ない。
【００３４】
また、本実施形態に係る画像投影装置１は、複数の端末装置４と接続可能であり、複数の端末装置４と接続した場合、副画像投影領域２５を複数設定して、各端末装置４に各副画像投影領域２５を割り当て、各副画像投影領域２５のサイズに応じた副画像データを各設定情報に基づいて生成することができる。
【００３５】
すなわち、例えば、画像投影装置１に２台の端末装置４が接続されている場合、図３（ａ）に示すように、画像投影装置１は、投影領域設定部１１によって、主画像非投影領域に２つの副画像投影領域２５ａ、２５ｂを設定し、各端末装置４に各副画像投影領域２５ａ，２５ｂを割り当てる。そして、画像生成部１３により、各端末装置４から送信された編集用情報に基づき、各端末装置４に割り当てられた各副画像投影領域２５ａ，２５ｂのサイズに応じた副画像データを生成し、この副画像データに基づく副画像２３ａ，２３ｂを投影手段１７により投影する。
【００３６】
さらに、図３（ａ）に示す状態において、画像投影装置１に新たに２台の端末装置４が接続された場合、図３（ｂ）に示すように、画像投影装置１は、投影領域設定部１１によって、副画像投影領域２５ａ，２５ｂとして設定された領域以外の主画非像投影領域に更に２つの副画像投影領域２５ｃ、２５ｄを設定し、新たに接続された各端末装置４に各副画像投影領域２５ｃ、２５ｄを割り当てる。
【００３７】
このように、本実施形態における画像投影装置１は、複数の端末装置４と接続した場合、各端末装置４に副画像投影領域２５を設定して割り当てることにより、各端末装置４から送信された編集用情報に基づく副画像２３を各端末ごとに分けて投影することができるため、投影されている副画像２３がどの端末装置４から送信された編集用情報に基づくものなのかが把握し易く、画像投影装置１を用いて会議や作業を効率よく行うことができる。
【００３８】
また、本実施形態に係る画像投影装置１は、編集用情報取得部１２で取得した編集用情報を画像情報取得部１０によって取得した画像情報に関連づけて記憶手段（例えば、記憶装置３）に記憶する記憶処理部を備えている。
【００３９】
これにより、画像投影装置１は、編集モードで画像情報に基づく画像を投影する際、この画像情報に関連付けられている設定情報が記憶手段に記憶されている場合には、主画像２１と共に、当該設定情報に基づいた副画像２３を投影することができるため、例えば、過去に行われた会議や打合せの内容等を画像と共に記録する、いわゆる議事録として利用することもできる。
【００４０】
さらに、各画像情報に設定情報が関連付けられるため、例えば、会議等において複数の主画像２１をスライド形式で投影する場合であっても、議事録として利用する際、主画像２１と副画像２３との対応関係が容易に把握することができる。
【００４１】
その上、本実施形態においては、編集用情報とともに主画像投影領域２４の位置、サイズ、及び副画像投影領域２５の位置、サイズを記憶するため、例えば、会議が中断された場合であっても、主画像２１及び副画像２３のレイアウトを再現できるため、当該会議を再開する際、違和感なく再開させることができる。
【００４２】
また、本実施形態に係る画像投影装置１は、主画像投影領域２４及び／又は副画像投影領域２５の設定位置を変更することができる。したがって、会議等の態様によって、主画像投影領域２４及び／又は副画像投影領域２５の最適な位置を予め設定しておくことができるため、会議等をスムーズに進行させることができる。
【００４３】
また、本実施形態に係る画像投影装置１は、上述のように、副画像投影領域２５の位置及び／又は主画像投影領域２４の位置を変更指示する画像位置指定手段１５を備えており、投影領域設定部１１は、この画像位置指定手段１５により指定された位置に、副画像投影領域２５及び／又は主画像投影領域２４を変更する。したがって、会議中であっても、ユーザーは、この画像位置指定手段１５を操作することにより、当会議の進行状況に応じて逐次主画像投影領域２４あるいは副画像投影領域２５の位置を変更することができるため、画像投影装置１を用いて会議等を効率よく行うことができる。なお、画像位置指定手段１５は、画像投影装置１のハウジング表面に操作ボタンや操作パネルとして配置することができ、また、リモコンに設けてもよい。
【００４４】
すなわち、例えば、図４（ａ）に示すように、主画像投影領域２４が全投影領域２０の中央に配置されている場合において、副画像投影領域２５に投影する編集用情報の情報量が多くなりそうな場合は、画像位置指定手段１５により、図４（ｂ）に示すように、主画像投影領域２４の位置を全投影領域２０の上方に移動させることによって、主画像投影領域２４のサイズを変えることなく、より多くの編集用情報を投影することができる。
【００４５】
また、本実施形態に係る画像投影装置１は、主画像投影領域２４のサイズ及び／又は副画像投影領域２５のサイズを変更指示する画像サイズ変更指示手段１６を備えており、投影領域設定部１１は、この画像サイズ変更指示手段１６により指示されたサイズに、主画像投影領域２４及び／又は副画像投影領域２５のサイズを変更する。したがって、ユーザーは、この画像サイズ変更指示手段１６を操作することにより、会議中であっても、当該会議の進行状況に応じて逐次主画像投影領域２４あるいは副画像投影領域２５のサイズを変更することができるため、画像投影装置１を用いて会議等を効率よく行うことができる。なお、画像サイズ変更指示手段１６は、画像投影装置１のハウジング表面に操作ボタンや操作パネルとして配置することができ、また、リモコンに設けてもよい。
【００４６】
さらに、本実施形態に係る画像投影装置１は、副画像投影領域２５を設定している状態で、副画像投影領域２５に投影する編集用情報の情報量が所定量以上となったとき、主画像投影領域２４をさらに縮小する一方、副画像投影領域２５を拡大することができる。
【００４７】
すなわち、例えば、図５（ａ）に示すように、副画像投影領域２５に所定の編集用情報に基づく副画像２３が投影されている場合において、端末装置４から編集用情報が更に送信されることにより、投影する副画像２３の編集用情報量が増え、設定されている副画像投影領域２５に副画像２３が収まらなくなる場合、画像投影装置１は、投影領域設定部１１により、図５（ｂ）に示すように、主画像投影領域２４を縮小する一方、副画像投影領域２５を拡大することにより、主画像投影領域２４と副画像投影領域２５とが重複することなく副画像投影領域２５を拡大させることができ、当該拡大した副画像投影領域２５により多くの編集用情報に基づく副画像２３を投影することが可能となる。
【００４８】
［２．画像投影装置の具体的構成］
以下、本実施形態に係る画像投影装置１を図面を参照しながらさらに詳しく説明する。図６は、本実施形態における画像投影装置１を含む画像投影システムＳの全体構成図である。
【００４９】
図６に示すように、本実施形態における画像投影システムＳは、画像投影装置１と、この画像投影装置１を遠隔操作するリモコン２と、画像投影装置１に装着するメモリカードなどの記憶媒体である記憶装置３と、端末装置４ａ〜４ｄとから構成される。以下、端末装置４ａ〜４ｄの任意の一つを表す場合には端末装置４と表現することがあるものとする。
【００５０】
画像投影装置１と端末装置４とは、無線通信により通信可能に接続されている。また、画像投影装置１とリモコン２との間の無線通信は、赤外線による赤外線データ通信を採用している。
【００５１】
画像投影装置１は、ユーザーによるリモコン２の操作に応じて、記憶装置３に記憶されたデータを読み出し、記憶装置３にデータを書き込む記憶媒体ドライブを備えており、この記憶媒体ドライブを介して記憶装置３に記憶された画像情報などの情報を取得する。なお、データの取得については、記憶装置３内に記憶されたデータの全てを取得してもよく、また、記憶装置３内の所定のフォルダを選択し当該フォルダ内に記憶されているデータのみを取得するようにしてもよい。
【００５２】
（画像投影装置１の構成について）
次に、画像投影装置１の構成について説明する。図７は、本実施形態における画像投影装置１の構成図である。
【００５３】
画像投影装置１は、図７に示すように、各種操作を行うための操作パネル１０１と、設定情報や画像データなどを保持するための不揮発性メモリである記憶部１０２と、赤外線による無線通信を行う赤外線通信部１０３と、外部の記憶装置３と画像情報などの情報を送受信をするためのインターフェイス１０４と、外部から映像信号を入力する映像信号入力回路１０５と、映像信号入力回路１０５を介して入力される映像信号や外部装置から取得した画像情報及び編集用情報に所定の処理を施す画像処理回路１０６と、この画像処理回路１０６から出力される画像信号に基づいた画像を投影する投影部１０７と、画像投影装置１全体を制御する制御部１０８と、端末装置４と無線通信を行う無線通信部１０９とを備えており、これらはハウジングに内蔵される。
【００５４】
操作パネル１０１は、画像投影装置１において使用者が操作パネル１０１を操作することによって、その操作内容に応じた制御を制御部１０８が実行する。
【００５５】
記憶部１０２は、フラッシュメモリ（flash memory）などから構成され、画像情報に関連付けられた、編集用情報、主画像投影領域２４の位置情報やサイズ情報、副画像投影領域２５の位置情報やサイズ情報等からなる設定情報を記憶する設定情報記憶領域１１０（記憶手段の一例に相当）を有している。この設定情報記憶領域１１０には、副画像投影領域２５の分割数、主画像投影領域２４の位置やサイズ、及び各副画像投影領域に投影される副画像２３の編集用情報の有無に関する情報を画像情報と関連付けて記憶している編集データリストや、副画像投影領域２５の位置、サイズ、編集用情報、及び文字サイズに関する情報を画像情報と関連付けて記憶しているコメントリスト等の情報が記憶されている。
【００５６】
赤外線通信部１０３は、赤外線ＬＥＤなどから構成され、リモコン２などから出力される赤外線信号を受光する赤外線受光部１１１と、赤外線受光部１１１により受信した赤外線信号をデータに変換する処理を行う赤外線制御部１１２とを備えている。
【００５７】
インターフェイス１０４は、外部装置との通信を行うことができるＵＳＢインターフェイスであり、外部の記憶装置３から画像情報などの情報を取得したり、記憶装置３へ画像情報などの情報を格納したりする。
【００５８】
無線通信部１０９は、端末装置４と通信する際に制御部１０８によって用いられるものであり、アンテナとアンテナを介して無線信号を送受信するＲＦ（無線）ユニットなどから構成される無線回路１１３と、無線回路１１３により送受信する無線信号を無線ＬＡＮ規格に準じた無線信号とする処理を行う無線信号制御部１１４とを備えている。なお、ここでの無線信号制御部１１４は、マイクロコンピュータから構成される。本実施形態に係る画像投影装置１は、端末装置４からこの無線通信部１０９を介して編集用情報を取得する。
【００５９】
映像信号入力回路１０５は、コンポジット映像信号（例えばＮＴＳＣ映像信号）やコンポーネント映像信号（例えばＲＧＢ信号）などの映像信号を入力する。
【００６０】
画像処理回路１０６は、制御部１０８による制御に基づいて、映像信号入力回路１０５に入力された映像信号やインターフェイス１０４を介して取得した画像情報或いは無線通信部１０９を介して取得した編集用情報に対して、設定された主画像投影領域２４、副画像投影領域２５のサイズ、位置に応じた加工を行なう。このように加工されて生成された画像信号は、投影部１０７に入力される。
【００６１】
投影部１０７は、光源駆動回路１２０と、光源１２１と、照明光学系１２２と、透過型液晶パネル１２３（以下、「ＬＣＤ１２３」とする。）と、結像光学系１２４と、ＬＣＤ駆動回路１２５と、ピント調整回路１２６とを備えている。
【００６２】
光源１２１は、ランプなどから構成され、制御部１０８によって制御された光源駆動回路１２０から出力される信号に基づいて、点灯駆動されて発光する。光源１２１で発光された光は、照明光学系１２２によって、照明光としてＬＣＤ１２３に照射される。
【００６３】
ＬＣＤ１２３は、ＬＣＤ駆動回路１２５によって駆動され、その表示面に映像を表示する。このように表示された映像は、照明光学系１２２からの照明光によって、画像光としてＬＣＤ１２３から出射される。続いて、この画像光は、結像光学系１２４を通って、スクリーン（投射面）に投影される。このように、ＬＣＤ１２３に表示される画像がスクリーンに投影される構成となっている。なお、ピント調整回路１２６によって、スクリーンに投影する画像のピントを調整することができる。
【００６４】
制御部１０８は、ＣＰＵ(Central Processing Unit)，ＲＯＭ（Read Only Memory)，ＲＡＭ（Random Access Memory)などを内蔵しており、ＣＰＵがＲＯＭに予め格納されたプログラムを読み出して実行することによって、画像情報を取得する画像情報取得部、画像情報に基づいた主画像２１を投影する主画像投影領域２４を設定する投影領域設定部、主画像投影領域２４に応じたサイズの主画像データを画像情報に基づいて画像処理回路１０６に生成させる画像生成部、編集用情報を取得する編集用情報取得部、編集用情報取得部で取得した編集用情報を画像情報取得部で取得した画像情報に関連づけて記憶手段としての記憶部１０２、或いは記憶装置３に記憶する記憶処理部等として機能する。
【００６５】
制御部１０８は、画像情報取得部として、記憶部１０２から、或いはインターフェイス１０４を介して記憶装置３から画像情報を取得する。ここで、本実施形態においては、記憶装置３に複数の画像の画像情報が記憶されているものとする。
【００６６】
また、制御部１０８は、投影領域設定部として、画像情報に基づいた主画像２１を投影する主画像投影領域２４や編集用情報に基づいた副画像２３を投影する副画像投影領域２５を設定する。
【００６７】
すなわち、投影領域設定部は、編集モードにおける主画像投影領域２４の位置及びサイズ、並びに、副画像投影領域２５の分割数、位置及びサイズを設定する。
【００６８】
この投影領域設定部により設定された主画像投影領域２４及び副画像投影領域２５に関する情報は、設定情報として、記憶部１０２の設定情報記憶領域１１０に記憶される。これは、後述する記憶処理部として、制御部１０８により行われるものである。
【００６９】
設定情報は、編集データリストとコメントリストとで構成される。
【００７０】
図８に示すように、編集データリストは、副画像投影領域２５の分割数及び主画像投影領域２４の座標に関する情報を、画像情報のファイル名及び各副画像投影領域２５の情報が記憶されているコメントリストのファイル名と関連付けて記憶している。
【００７１】
ここで、副画像投影領域２５の分割数とは、全投影領域２０に副画像投影領域２５をいくつに分割するかを決めるものであり、画像投影装置１と無線接続されている端末装置の数によって決定される。
【００７２】
また、主画像投影領域２４の座標情報は、全投影領域２０における主画像投影領域２４の位置及びサイズを決定するための情報である。すなわち、本実施形態に係る画像投影装置１は、図９に示すように、全投影領域２０の縦方向をＸ方向、横方向をＹ方向とし、その左上部の頂点を原点とするとともに、Ｘ方向及びＹ方向における全投影領域２０の最大値をそれぞれ４００に規定しており、主画像投影領域２４の左上の頂点の座標（Ｘ１，Ｙ１）、及び右下の頂点の座標（Ｘ４，Ｙ４）を０〜４００の値で表すことにより、全投影領域２０における主画像投影領域２４の位置及びサイズを決定することができる。例えば、図９において、主画像投影領域２４の座標は、（Ｘ１、Ｙ１）＝（１００，１００）、（Ｘ４、Ｙ４）＝（３００、３００）である。なお、この座標情報は、投影領域設定部１１により変更することが可能であり、これにより、主画像投影領域２４の位置やサイズを変更することができる。この主画像投影領域２４の位置やサイズの変更は、画像位置指定手段１５及び画像サイズ変更指示手段１６による指示に基づいて行われる。
【００７３】
図１０に示すように、コメントリストは、副画像投影領域２５の座標、編集用情報、及び編集用情報がテキスト情報であるときの文字サイズに関する情報を、当該コメントリストのファイル名と関連付けて記憶するものである。なお、図１０においては、編集用情報がテキスト情報の場合のコメントリストを示している。
【００７４】
ここで、副画像投影領域２５の座標情報は、主画像投影領域２４の座標情報と同様、全投影領域２０における主画像投影領域２４の位置及びサイズを決定するための情報である。すなわち、本実施形態に係る画像投影装置１は、副画像投影領域２５の左上の頂点の座標（Ｘ５，Ｙ５）、及び右下の頂点の座標（Ｘ８，Ｙ８）を０〜４００の値で表すことにより、全投影領域２０における副画像投影領域２５の位置及びサイズを決定することができる。例えば、図９において、副画像投影領域２５の座標は、（Ｘ５、Ｙ５）＝（３２０，１００）、（Ｘ８、Ｙ８）＝（３８０、１００）である。なお、この座標情報は、主画像投影領域２４の座標情報と同様、投影領域設定部１１により変更することが可能であり、これにより、副画像投影領域２５の位置やサイズを変更することができる。この副画像投影領域２５の位置やサイズの変更は、画像位置指定手段１５及び画像サイズ変更指示手段１６による指示に基づいて行われる。なお、主画像投影領域２４と副画像投影領域２５とはその領域が重複しないように投影領域設定部１１により変更される。
【００７５】
また、制御部１０８は、画像処理回路１０６と共に画像生成部として機能し、画像情報及び／または編集用情報に基づいて、主画像投影領域２４に応じたサイズの主画像データ及び／または副画像投影領域２５に応じたサイズの副画像データを生成する。
【００７６】
すなわち、例えば、主画像投影領域２４の座標が（Ｘ１、Ｙ１）＝（１００，１００）、（Ｘ４、Ｙ４）＝（３００、３００）に設定されている場合、制御部１０８は、画像情報に基づく画像のサイズを全投影領域２０への投影に比べ１／４に縮小させた画像の主画像データを生成する。
【００７７】
また、副画像投影領域２５も主画像投影領域２４と同様、副画像投影領域２５の座標情報により位置、サイズが設定されており、設定された副画像投影領域２５のサイズに応じたサイズの副画像データを生成する。
【００７８】
また、制御部１０８は、編集用情報取得部として、無線通信部１０９を介して端末装置４から編集用情報を取得する。編集用情報がテキスト情報である場合、端末装置４は、後述するキーボード３１２の所定のキーが押下されたという信号を画像投影装置１に送信するのみであり、画像投影装置１がエディタとして機能し、当該信号をテキスト情報として編集してコメントリストに書き出す。また、編集用情報がタブレット、或いはペンタブレット等により入力される手書き文字の画像情報である場合、端末装置４は、カーソルやペンが動いた軌跡の座標情報を検出し、検出した座標情報を画像投影装置１に送信する。そして、画像投影装置１は、エディタとして機能し、この座標情報に基づき手書き文字の画像情報として編集してコメントリストに書き出す。
【００７９】
また、上述のように制御部１０８は記憶処理部として機能し、編集用情報取得部で取得した編集用情報を画像情報取得部によって取得した画像情報に関連付けて記憶手段としての記憶部１０２の設定情報記憶領域１１０に記憶する。
【００８０】
なお、この設定情報記憶領域１１０には、通常モードにおける主画像投影領域２４の位置及びサイズに関する情報と、関連付けされた編集用情報を有していない主画像２１を編集モードで投影する際に用いられる主画像投影領域２４の位置及びサイズ並びに副画像投影領域２５の分割数、位置及びサイズに関する情報とが、初期設定として記憶されている。通常モードで主画像２１を投影する場合、或いは関連付けされた編集用情報を有していない主画像２１を編集モードで投影する場合は、これら初期設定として記憶されている設定情報が参照される。
【００８１】
（端末装置４の構成について）
次に、端末装置４の構成について説明する。図１１は、本実施形態における端末装置４の構成図である。
【００８２】
本発明の実施形態に係る端末装置４は、画像投影システムＳに使用されるものであり、図１１に示すように、ＲＯＭやＲＡＭ等からなるメモリ３０６、表示部であるＬＣＤ３０３、ＬＣＤ３０３を駆動するためのグラフィックスコントローラ３０４、これらを接続する第１のバス３０７を備えており、ＣＰＵ３０５により制御される。
【００８３】
更に、端末装置４は、ＵＳＢデバイスとデータの入出力を行うためのＵＳＢバスコントローラ３０２、これに接続する接続ポートとしてのＵＳＢコネクタ３１０と、画像投影装置１と無線通信を行うための無線通信部３０９と、マウス３１１、キーボード３１２、ＤＶＤ／ＣＤ３１３、ハードディスク（ＨＤＤ）３１５と、これらに接続する第２のバス３１６、及び、第１のバス３０７とのデータの授受を行うためのバスコントローラ３０８を備えている。
【００８４】
また、ＨＤＤ３１５には、端末装置４のオペレーティングシステム（ＯＳ）プログラム、表計算ソフトウエア、図形作成ソフトウエア等のアプリケーションプログラムの他、無線通信により画像投影装置１にキーコマンド等の送信を行うための無線通信アプリケーションプログラムが格納されている。
【００８５】
無線通信部３０９は、アンテナ３１７と、ＲＦ部３１８と、ベースバンド部３１９とを有しており、無線ＬＡＮ規格に基づいてデータの送受信を行うことができる。なお、ＲＦ部３１８とベースバンド部３１９とはＷＬＡＮ（Wireless Local Area Network）チップにより構成される。
（リモコン２の構成について）
リモコン２は、図１２に示すように、ＬＣＤ（Liquid Crystal Display）などの表示手段である表示装置２０１、電源スイッチ２０２、上下左右キーである十字キー２０３、決定キー２０４、編集モード切り替えスイッチ２０５，主画像投影領域変更スイッチ２０６，副画像投影領域変更スイッチ２０７、保存用スイッチ２０８、赤外線通信部２０９などを備えている。副画像投影領域２５の位置及び／又は主画像投影領域２４の位置を変更指示する画像位置指定手段、副画像投影領域２５のサイズ及び／又は主画像投影領域２４のサイズを変更指示する画像サイズ変更指示手段は、このリモコン２と赤外線通信部１０３、或いは画像投影装置１の操作パネル１０１により構成される。
（画像投影装置１の具体的動作について）
次に、画像投影装置１の具体的動作の一例について、図１３〜図２３を参照して説明する。図１３は、本実施形態における画像投影装置１のメイン処理フローチャートである。なお、以下は、編集用情報をテキスト情報とし、画像情報を一つずつ取得して投影する場合について説明するが、これに限らず、例えば、複数の画像情報をまとめて取得して順次投影することもできる。
【００８６】
図１３に示すように、画像投影装置１の電源スイッチ（図示せず）が押下されたとき、画像投影装置１の制御部１０８は、記憶部１０２又は記憶装置３に未取得の画像情報があるか否かを判定する（ステップＳ１００）。この処理において、未取得の画像情報があると判定すると（ステップＳ１００：Ｙｅｓ）、記憶部１０２又は記憶装置３から画像情報を取得し（ステップＳ１０１）、取得した画像情報に基づく画像を通常モードで投影部１０７から投影する（ステップＳ１０２）。すなわち、制御部１０８は、画像情報を取得すると、主画像投影領域２４に応じたサイズの主画像データをこの画像情報に基づいて生成し、この画像データに基づいた画像を設定された投影領域に投影する。ここで、通常モードにおいて、主画像投影領域２４は、初期設定として、全投影領域２０と同一領域に設定されているため、主画像２１は全投影領域２０全体に投影されることとなる。
【００８７】
次に、制御部１０８は、編集モードが指示されたか否かを判定する（ステップＳ１０３）。この判定は、リモコン２の編集モード切り替えスイッチ２０５が押下されたか否かによって判定される。この処理において、編集モード切り替えスイッチ２０５が押下されたと判定すると（ステップＳ１０３：Ｙｅｓ）、制御部１０８は、編集モード処理を行う（ステップＳ１０４）。この編集モード処理は、図１４におけるステップＳ１２０〜Ｓ１２４までの処理であり、後述する。
【００８８】
編集モード処理が終了したとき、ステップＳ１０３において編集モード処理が指示されていないとき（ステップＳ１０３：Ｎｏ）、或いはステップＳ１００において記憶部１０２又は記憶装置３に未取得の画像情報がないと判定したとき、制御部１０８は、画像投影装置１の電源がＯＦＦされたか否かを判定し（ステップＳ１０５）、電源がＯＦＦされたと判定すると（ステップＳ１０５：Ｙｅｓ）、制御部１０８は、メイン処理を終了する。
【００８９】
次に、ステップＳ１０３における編集モード処理について、図１４を参照して具体的に説明する。図１４は、本実施形態における画像投影装置１の編集モード処理フローチャートである。
【００９０】
図１４に示すように、編集モード処理を開始すると、画像投影装置１の制御部１０８は、ステップＳ１２０の編集モード投影処理を行う。この編集モード投影処理は、画像情報に基づく主画像２１と編集用情報に基づく副画像２３とを同時に投影するものである。この処理は、図１５におけるステップＳ１３０〜Ｓ１３５までの処理であり、後述する。
【００９１】
ステップＳ１２０における編集モード投影処理が終了すると、制御部１０８は、処理をステップＳ１２１の投影領域設定処理に移行する。この投影領域設定処理は、ステップＳ１２０の編集モード投影処理において投影した主画像２１及び副画像２３の投影領域、すなわち主画像投影領域２４及び副画像投影領域２５の位置の変更を行うものである。この処理は、図１６におけるステップＳ１５０〜Ｓ１５３までの処理である、後述する。
【００９２】
ステップＳ１２１における投影領域設定処理が終了すると、制御部１０８は、処理をステップＳ１２２のコメント編集処理に移行する。このコメント編集処理は、端末装置４から取得したテキスト情報に基づいて副画像投影領域２５に投影させる副画像２３の編集を行うものである。この処理は、図２１におけるステップＳ１８０〜Ｓ１８８までの処理であり、後述する。
【００９３】
ステップＳ１２２におけるコメント編集処理が終了すると、制御部１０８は、設定内容の保存が指示されたか否かを判定する。この判定は、リモコン２の保存用スイッチ２０８が押下されたか否かにより判定されるものである。この処理において、設定内容の保存が指示されたと判定すると（ステップＳ１２３：Ｙｅｓ）、制御部１０８は、保存処理を行う（ステップＳ１２４）。この保存処理は、設定情報の保存を行うものである。この処理は、図２２におけるステップＳ１９０〜Ｓ１９２までの処理であり、後述する。一方、設定内容の保存が指示されていないとき、制御部１０８は、処理をステップＳ１２１に移行する。
【００９４】
ステップＳ１２４における保存処理が終了すると、制御部１０８は、編集モード処理を終了する。
【００９５】
次に、ステップＳ１２０における編集モード投影処理について、図１５を参照して具体的に説明する。図１５は、本実施形態における画像投影装置１の編集モード投影処理フローチャートである。
【００９６】
図１５に示すように、制御部１０８は、編集モード投影処理を開始すると、通常モードで投影されている主画像２１と関連づけられた設定情報が記憶部１０２の設定情報記憶領域１１０に記憶されているか否かを判定する（ステップＳ１３０）。この処理において、主画像２１と関連付けられた設定情報が記憶されていないと判定すると（ステップＳ１３０：Ｎｏ）、制御部１０８は、設定情報の新規作成を行う（ステップＳ１３１）。
【００９７】
すなわち、制御部１０８は、設定情報が記憶されていないと判定すると、記憶部１０２の設定情報記憶領域１１０に当該主画像２１と関連付けられた編集データリスト及びコメントリストを新たに作成する。
【００９８】
ここで、設定情報の新規作成を行う場合、主画像投影領域２４の座標情報は初期設定により予め設定されており、本実施形態においては、（Ｘ１，Ｙ１）＝（１００，１００）、（Ｘ４，Ｙ４）＝（３００，３００）に設定されている。また、副画像投影領域２５の分割数は、編集モード処理を開始した時点での、画像投影装置１に接続されている端末装置４の台数に応じて決定され、副画像投影領域２５の座標情報は、主画像投影領域２４と同様、初期設定により予め設定される。
【００９９】
なお、本実施形態において、主画像２１と設定情報との関連付けは、当該主画像２１の画像情報のヘッダ部分に編集データリストのファイル名の情報を埋め込むことで行われる。また、編集データリストとコメントリストとは、コメントリストのファイル名により関連付けられている。
【０１００】
ここで、本実施形態に係る画像投影装置１は、このような設定情報の初期設定を変更することもできる。かかる構成とすることにより、会議等の態様によって、主画像投影領域２４及び／又は副画像投影領域２５の最適な位置を予め設定しておくことができるため、会議等をスムーズに進行させることができる。
【０１０１】
設定情報の新規作成処理を終了したとき、或いはステップＳ１３０において設定情報が記憶部１０２の設定情報記憶領域１１０に記憶されているとき（ステップＳ１３０：Ｙｅｓ）、制御部１０８は、投影している主画像２１に関連付けられている設定情報を設定情報記憶領域１１０から取得し（ステップＳ１３２）、処理をステップＳ１３３に移行する。
【０１０２】
ステップＳ１３３において、制御部１０８は、取得した設定情報に基づき主画像２１を縮小させる。すなわち、制御部１０８は、編集データリストに記憶されている座標情報に基づき主画像投影領域２４を設定し、設定された主画像投影領域２４に応じたサイズの主画像データを生成し、生成した主画像データに基づく主画像２１を投影する。ここで、通常モードにおいて、主画像投影領域２４は、全投影領域２０と同一領域となるように設定されているため、通常モードから編集モードに切り替えることにより、主画像２１は設定された主画像投影領域２４のサイズに応じて縮小されることとなる。
【０１０３】
次に、制御部１０８は、設定情報に基づき副画像データを生成し（ステップＳ１３４）、生成した副画像データに基づく副画像２３を投影する（ステップＳ１３５）。すなわち、制御部１０８は、編集データリスト及びコメントリストを参照して、主画像投影領域２４の縮小により生じた主画像非投影領域に各副画像投影領域２５を設定し、さらに、コメントリストに記憶されているテキスト情報に基づいて各副画像投影領域２５のサイズに応じた副画像データを生成し、生成した副画像データを投影する。
【０１０４】
ステップＳ１３５の処理を終了すると、制御部１０８は、編集モード投影処理を終了する。
【０１０５】
このように、本実施形態に係る画像投影装置１は、全投影領域２０に画像情報に基づく主画像２１とテキスト情報に基づく副画像２３とを、主画像と副画像とが重複することなく同時に投影するため、例えば、画像投影装置１を用いた会議において、主画像投影領域２４にプレゼンテーション用の画像である主画像２１を投影するとともに、副画像投影領域２５に会議の議事内容に基づくテキスト情報を副画像２３として投影することにより、会議の参加者は、プレゼンテーション用の画像と議事内容とを同時に見ることができるため、当該会議を円滑に行うことができ、議事録の編集も容易に行うことができる。さらに、主画像２１及び副画像２３の同時投影を一つの画像投影装置を用いて行うため、複数の画像投影装置を用いた場合に比べて消費電力を抑えることができ、設置スペースを縮小させることもできる。
【０１０６】
次に、ステップＳ１２１における投影領域設定処理について、図１６を参照して具体的に説明する。図１６は、本実施形態に係る画像投影装置１の投影領域設定処理フローチャートである。
【０１０７】
図１６に示すように、投影領域設定処理を開始すると、制御部１０８は、主画像投影領域２４の設定変更が指示されたか否かを判定する（ステップＳ１５０）。この判定は、リモコン２の主画像投影領域変更スイッチ２０６が押下されたか否かにより判定される。この処理において、主画像投影領域２４の設定変更が指示されたと判定すると（ステップＳ１５０：Ｙｅｓ）、制御部１０８は、主画像投影領域設定変更処理を行う（ステップＳ１５１）。この主画像投影領域設定変更処理は、図１７におけるステップＳ１６０〜Ｓ１６４までの処理であり、後述する。
【０１０８】
ステップＳ１５０において、主画像投影領域２４の設定変更が指示されていないとき（ステップＳ１５０：Ｎｏ）、制御部１０８は、副画像投影領域２５の設定変更が指示されたか否かを判定する（ステップＳ１５２）。この判定は、リモコン２の副画像投影領域変更スイッチ２０７が押下されたか否かにより判定される。この処理において、副画像投影領域２５の設定変更が指示されたと判定すると（ステップＳ１５２：Ｙｅｓ）、制御部１０８は、副画像投影領域設定変更処理を行う（ステップＳ１５３）。この副画像投影領域設定変更処理は、図１９におけるステップＳ１７０〜Ｓ１７６までの処理であり、後述する。
【０１０９】
ステップＳ１５１、１５３の処理が終了したとき、或いはステップＳ１５２において副画像投影領域２５の設定変更が指示されていないとき（ステップＳ１５２：Ｎｏ）、制御部１０８は、投影領域設定処理を終了する。
【０１１０】
次に、ステップＳ１５１における主画像投影領域設定変更処理について、図１７及び図１８を参照して具体的に説明する。図１７は、本実施形態に係る画像投影装置１の主画像投影領域設定変更処理フローチャートであり、図１８は、主画像投影領域設定変更画面である。
【０１１１】
図１７に示すように、主画像投影領域設定変更処理を開始すると、制御部１０８は、主画像投影領域設定変更画面をスクリーン上に投影させる（ステップＳ１６０）。図１８に示すように、この主画像投影領域設定変更画面には、主画像投影領域２４の設定変更の項目が列挙されており、ユーザーは、リモコン２の十字キー２０３の上キー及び下キーを押下し、所望の変更項目が表示されている位置にカーソルが位置した状態で決定キー２０４を押下することによって主画像投影領域２４の設定変更の項目を選択する。
【０１１２】
次に、制御部１０８は、主画像投影領域２４の位置変更が指示されたか否かを判定する（ステップＳ１６１）。この判定は、カーソルが主画像投影領域２４の位置変更の欄に位置した状態でリモコン２の決定キー２０４が押下されたか否かによって判定するものである。この処理において、主画像投影領域２４の位置変更が指示されたと判定すると（ステップＳ１６１：Ｙｅｓ）、制御部１０８は、処理をステップＳ１６２に移行する。なお、ステップＳ１６１の処理において、リモコン２は、画像位置変更手段として機能する。
【０１１３】
ステップＳ１６２において、制御部１０８は、ユーザーからの指示に基づき主画像投影領域２４の位置を変更する。具体的には、ユーザーからの指示はリモコン２によって行われ、十字キー２０３の押下された方向及び十字キー２０３が押下された回数に基づいて主画像投影領域２４を移動させる。
【０１１４】
ステップＳ１６１において、主画像投影領域２４の位置変更が指示されていないとき（ステップＳ１６１：Ｎｏ）、制御部１０８は、主画像投影領域２４のサイズ変更が指示されたか否かを判定する（ステップＳ１６３）。この判定は、カーソルが主画像投影領域２４のサイズ変更の欄に位置した状態でリモコン２の決定キー２０４が押下されたか否かによって判定するものである。この処理において、主画像投影領域２４のサイズ変更が指示されていないとき（ステップＳ１６３：Ｎｏ）、制御部１０８は、処理をステップＳ１６１に移行する。一方、主画像投影領域２４のサイズ変更が指示されたと判定すると（ステップＳ１６３：Ｙｅｓ）、制御部１０８は、処理をステップＳ１６４に移行する。なお、ステップＳ１６３の処理において、リモコン２は、画像サイズ変更指示手段として機能する。
【０１１５】
ステップＳ１６４において、制御部１０８は、ユーザーからの指示に基づき主画像投影領域２４のサイズを変更する。具体的には、ユーザーからの指示はリモコン２によって行われ、制御部１０８は、十字キー２０３の上キーが押下されたときは主画像投影領域２４を拡大させ、下キーが押下されたときは縮小させる。
【０１１６】
ステップＳ１６２、Ｓ１６４の処理が終了したとき、制御部１０８は、主画像投影領域設定処理を終了する。
【０１１７】
次に、ステップＳ１５３における副画像投影領域設定変更処理について、図１９及び図２０を参照して具体的に説明する。図１９は、本実施形態に係る画像投影装置１の副画像投影領域設定変更処理フローチャートであり、図２０は、副画像投影領域設定変更画面である。
【０１１８】
図１９に示すように、副画像投影領域設定変更処理を開始すると、制御部１０８は、副画像投影領域設定変更画面をスクリーン上に投影させる（ステップＳ１７０）。図２０に示すように、この副画像投影領域設定変更画面には、副画像投影領域２５の設定変更の項目が列挙されており、ユーザーは、リモコン２の十字キー２０３の上キー及び下キーを押下し、所望の変更項目が表示されている位置にカーソルが位置した状態で決定キー２０４を押下することによって副画像投影領域２５の設定変更の項目を選択する。
【０１１９】
次に、制御部１０８は、副画像投影領域２５の分割数変更が指示されたか否かを判定する（ステップＳ１７１）。この判定は、カーソルが副画像投影領域２５の分割数変更の欄に位置した状態でリモコン２の決定キー２０４が押下されたか否かによって判定するものである。この処理において、副画像投影領域２５の分割数変更が指示されたと判定すると（ステップＳ１７１：Ｙｅｓ）、制御部１０８は、処理をステップＳ１７２に移行する。
【０１２０】
ステップＳ１７２において、制御部１０８は、ユーザーからの指示に基づき副画像投影領域２５の分割数を変更する。具体的には、制御部１０８は、副画像投影領域２５の分割数の変更が指示されたときに画像投影装置１に接続している端末装置４の台数に応じて副画像投影領域２５の分割数を変更する。
【０１２１】
次に、制御部１０８は、副画像投影領域２５の位置変更が指示されたか否かを判定する（ステップＳ１７３）。この判定は、カーソルが副画像投影領域２５の位置変更の欄に位置した状態でリモコン２の決定キー２０４が押下されたか否かによって判定するものである。この処理において、副画像投影領域２５の位置変更が指示されたと判定すると（ステップＳ１７３：Ｙｅｓ）、制御部１０８は、処理をステップＳ１７４に移行する。なお、ステップＳ１７１の処理において、リモコン２は、画像位置変更手段として機能する。
【０１２２】
ステップＳ１７４において、制御部１０８は、ユーザーからの指示に基づき副画像投影領域２５の位置を変更する。具体的には、ユーザーからの指示はリモコン２によって行われ、十字キー２０３の押下された方向及び十字キー２０３が押下された回数に基づいて副画像投影領域２５を移動させる。
【０１２３】
ステップＳ１７３において、副画像投影領域２５の位置変更が指示されていないとき（ステップＳ１７３：Ｎｏ）、制御部１０８は、副画像投影領域２５のサイズ変更が指示されたか否かを判定する（ステップＳ１７５）。この判定は、カーソルが副画像投影領域２５のサイズ変更の欄に位置した状態でリモコン２の決定キー２０４が押下されたか否かによって判定するものである。この処理において、副画像投影領域２５のサイズ変更が指示されていないとき（ステップＳ１７５：Ｎｏ）、制御部１０８は、処理をステップＳ１７１に移行する。一方、副画像投影領域２５のサイズ変更が指示されたと判定すると、制御部１０８は、処理をステップＳ１７６に移行する。なお、ステップＳ１７５の処理において、リモコン２は、画像サイズ変更指示手段として機能する。
【０１２４】
ステップＳ１７６において、制御部１０８は、ユーザーからの指示に基づき副画像投影領域２５のサイズを変更する。具体的には、ユーザーからの指示はリモコン２によって行われ、制御部１０８は、十字キー２０３の上キーが押下されたときは副画像投影領域２５を拡大させ、下キーが押下されたときは縮小させる。
【０１２５】
ステップＳ１７２、Ｓ１７４、Ｓ１７６の処理が終了したとき、制御部１０８は、副画像投影領域設定処理を終了する。
【０１２６】
次に、ステップＳ１２２におけるコメント編集処理について、図２１を参照して具体的に説明する。図２１は、本実施形態に係る画像投影装置１のコメント編集処理フローチャートである。
【０１２７】
図２１に示すように、コメント編集処理を開始すると、制御部１０８は、端末装置４のキーボード３１２の操作によるキーコマンドの検出がされたか否かを判定する（ステップＳ１８０）。この処理において、キーコマンドの検出がされたと判定すると（ステップＳ１８０：Ｙｅｓ）、制御部１０８は、検出したキーコマンドに基づいてテキスト情報の編集を行う（ステップＳ１８１）。具体的には、コメントリストにテキスト情報が記憶されていない場合、すなわち、副画像投影領域２５に副画像２３が投影されていない場合は、検出したキーコマンドに基づくテキスト情報をコメントリストに記憶し、コメントリストに既にテキスト情報が記憶されている場合、すなわち、副画像投影領域２５に副画像２３が投影されている場合は、検出したキーコマンドに基づいてコメントリストに記憶されたテキスト情報を更新する。
【０１２８】
次に、制御部１０８は、副画像投影領域２５のサイズの変更が発生するか否かを判定する（ステップＳ１８２）。この判定は、ステップＳ１８１においてテキスト情報が編集されることにより、当該テキスト情報に基づく副画像２３のサイズが設定されている副画像投影領域２５のサイズよりも大きくなるか否かにより判定される。この処理において、副画像投影領域２５のサイズの変更が発生すると判定すると（ステップＳ１８２：Ｙｅｓ）、制御部１０８は、処理をステップＳ１８３に移行する。
【０１２９】
ステップＳ１８３において、制御部１０８は、テキスト情報の情報量が所定量以上であるか否かを判定する。この判定は、編集されたテキスト情報に基づく副画像２３のサイズが、設定されている主画像非投影領域において副画像投影領域２５が拡大可能なサイズよりも大きくなるか否かにより判定される。具体的には、ステップＳ１８１においてテキスト情報が編集されることにより、副画像投影領域２５のサイズを拡大する必要が生じた場合であって、副画像投影領域２５をこれ以上拡大させると主画像投影領域２４と重複してしまうような場合、制御部１０８は、テキスト情報の情報量が所定量以上であると判定する。この処理において、テキスト情報の情報量が所定量以上であると判定すると（ステップＳ１８３：Ｙｅｓ）、制御部１０８は、主画像投影領域２４が縮小するように主画像投影領域２４の座標情報を変更するとともに、副画像投影領域２５が拡大するように副画像投影領域２５の座標情報を変更する（ステップＳ１８４）。
【０１３０】
次に、制御部１０８は、変更した主画像投影領域２４の座標情報に基づき主画像投影領域２４を縮小させることにより主画像２１を縮小投影させ、さらに、変更した副画像投影領域２５の座標情報に基づき副画像投影領域２５を拡大させるとともに編集したテキスト情報に基づいた副画像２３を投影する（ステップＳ１８５）。
【０１３１】
このように、本実施形態に係る画像投影装置１は、テキスト情報の情報量が所定量以上となった場合、主画像投影領域２４を縮小する一方、副画像投影領域２５を拡大するため、主画像投影領域２４と副画像投影領域２５とが重複することなく副画像投影領域２５を拡大させることができ、当該拡大した副画像投影領域２５により多くのテキスト情報に基づく副画像２３を投影することが可能となる。
【０１３２】
ステップＳ１８３において、テキスト情報の情報量が所定量以上でないと判定すると（ステップＳ１８３：Ｎｏ）、制御部１０８は、副画像投影領域２５が拡大するように副画像投影領域２５の座標情報を変更し（ステップＳ１８６）、変更した副画像投影領域２５の座標情報に基づき副画像投影領域２５を拡大させるとともに編集したテキスト情報に基づいた副画像２３を投影する（ステップＳ１８７）。
【０１３３】
ステップＳ１８５及びステップＳ１８７の処理が終了したとき、或いはステップＳ１８０において、キーコマンドを検出していないとき（ステップＳ１８０：Ｎｏ）、制御部１０８は、コメント編集処理を終了する。
【０１３４】
次に、ステップＳ１２３における保存処理について、図２２及び図２３を参照して具体的に説明する。図２２は、本実施形態における画像投影装置１の保存処理フローチャートであり、図２３は、本実施形態における画像投影装置１の保存処理画面である。
【０１３５】
図２２に示すように、制御部１０８は、保存処理を開始すると、保存処理画面をスクリーン上に投影させる（ステップＳ１９０）。この保存処理画面は、ユーザーに対して設定内容の変更を保存するか否かを選択を行わせる画面であり、ユーザーは、ステップＳ１２１における投影領域設定処理、或いはステップＳ１２２におけるコメント編集処理において変更された、あるいは新たに設定された設定情報の内容を保存するか否かを選択する。なお、保存するか否かの選択は、リモコン２の十字キー２０３の上キー及び下キーを押下し、所望の選択肢が表示されている位置にカーソルが位置した状態で決定キー２０４を押下することによって行われる。
【０１３６】
次に、制御部１０８は、設定情報の内容の保存が指示されたか否かを判定する（ステップＳ１９１）。この判定は、リモコン２の決定キー２０４が押下されたか否かによって判定するものであり、決定キー２０４が押下されたときにカーソルが「はい」に位置しているか否かにより判定されるものである。この処理において、設定情報の内容の保存が指示されたと判定すると（ステップＳ１９１：Ｙｅｓ）、制御部１０８は、変更内容を編集データリスト及びコメントリストに反映し（ステップＳ１９２）、保存処理を終了する。
（端末装置４の具体的動作について）
次に、端末装置４の具体的動作の一例について、図２４を参照して説明する。図２４は、本実施形態における端末装置４のメイン処理フローチャートである。
【０１３７】
図２４に示すように、端末装置４の電源スイッチ（図示せず）が押下されたとき、端末装置４のＣＰＵ３０５は、無線通信によってテキスト情報を画像投影装置１に送信可能にするための無線通信用アプリケーションを起動し（ステップＳ２００）、画像投影装置１との無線接続を行う（ステップＳ２０１）。
次に、ＣＰＵ３０５は、キーボード３１２によるキー入力を検出したか否かを判定する（ステップＳ２０２）。この処理において、キー入力を検出したと判定すると（ステップＳ２０２：Ｙｅｓ）、制御部１０８は、検出したキー入力に応じたキーコマンドを無線通信部３０９を介して画像投影装置１に送信する（ステップＳ２０３）。
【０１３８】
次に、ＣＰＵ３０５は、無線通信用アプリケーションが終了したか否かを判定する（ステップＳ２０４）。この処理において、無線通信用アプリケーションが終了していないとき（ステップＳ２０４：Ｎｏ）、或いはステップＳ２０２においてキー入力を検出していないとき、ＣＰＵ３０５は、処理をステップＳ２０２に移行する。
【０１３９】
ステップＳ２０４において、無線通信用アプリケーションが終了したと判定すると（ステップＳ２０４：Ｙｅｓ）、ＣＰＵ３０５は、電源がＯＦＦされたか否かを判定する（ステップＳ２０５）。この処理において、電源がＯＦＦされていないと判定すると（ステップＳ２０５：Ｎｏ）、ＣＰＵ３０５は、処理をステップＳ２００に移行する。一方、電源がＯＦＦされたと判定すると（ステップＳ２０５：Ｙｅｓ）、ＣＰＵ３０５は、端末装置メイン処理を終了する。
【０１４０】
以上、本発明の実施の形態のうちのいくつかを図面に基づいて詳細に説明したが、これらは例示であり、当業者の知識に基づいて種々の変形、改良を施した他の形態で本発明を実施することが可能である。
【０１４１】
例えば、本実施形態において、画像投影装置１と端末装置４との接続方法は無線通信によるものとしているが、これに限らず、有線ＬＡＮ等有線通信によるものであっても良く、また、ＵＳＢケーブル等で直接接続することとしてもよい。
【０１４２】
また、本実施においては、編集モードで主画像２１と副画像２３とを同時に投影する場合、主画像データを生成した後に副画像データを生成することとしたが、主画像データと副画像データとからなる画像データを生成し、当該画像データに基づく画像を投影することとしてもよい。
【０１４３】
また、本実施形態において、主画像投影領域２４及び副画像投影領域２５の設定変更操作、設定情報の保存操作等はリモコン２により行うこととしたが、画像投影装置１に設けられた操作パネル１０１によっても行うことができる。
【図面の簡単な説明】
【０１４４】
【図１】本実施形態における画像投影装置により投影される画像の例を示す図である。
【図２】本実施形態における画像投影装置の概略構成図である。
【図３】本実施形態に係る画像投影装置が複数の端末装置と接続している場合に投影される画像の例を示す図である。
【図４】本実施形態に係る画像投影装置の全投影領域における主画像投影領域の位置の変更例を示す図である。
【図５】本実施形態に係る画像投影装置の副画像投影領域に投影されるテキスト情報の情報量に応じて主画像投影領域及び副画像投影領域が変化する様子を例示した図である。
【図６】本実施形態に係る画像投影装置を含む画像投影システムの全体構成図である。
【図７】本実施形態に係る画像投影装置の構成図である。
【図８】本実施形態に係る画像投影装置の記憶部に記憶される編集データリストの一例を示す図である。
【図９】本実施形態に係る画像投影装置の全投影領域に規定された座標を説明するための図である。
【図１０】本実施形態に係る画像投影装置の記憶部に記憶されるコメントリストの一例を示す図である。
【図１１】本実施形態に係る端末装置の構成図である。
【図１２】本実施形態に係るリモコンの外観図である。
【図１３】本実施形態に係る画像投影装置のメイン処理フローチャートである。
【図１４】本実施形態に係る画像投影装置の編集モード処理フローチャートである。
【図１５】本実施形態に係る画像投影装置の編集モード投影処理フローチャートである。
【図１６】本実施形態に係る画像投影装置の投影領域設定処理フローチャートである。
【図１７】本実施形態に係る画像投影装置の主画像投影領域設定変更処理フローチャートである。
【図１８】本実施形態に係る画像投影装置の主画像投影領域設定変更画面である。
【図１９】本実施形態に係る画像投影装置の副画像投影領域設定変更処理フローチャートである。
【図２０】本実施形態に係る画像投影装置の副画像投影領域設定変更画面である。
【図２１】本実施形態に係る画像投影装置のコメント編集処理フローチャートである。
【図２２】本実施形態に係る画像投影装置の保存処理フローチャートである。
【図２３】本実施形態に係る画像投影装置の保存処理画面である。
【図２４】本実施形態に係る端末装置のメイン処理フローチャートである。
【符号の説明】
【０１４５】
Ｓ    画像投影システム
１    画像投影装置
２    リモコン
３    記憶装置
４    端末装置
２１    主画像
２３    副画像
２４    主画像投影領域
２５    副画像投影領域
【図１】
2009075238.tif 000003
【図２】
2009075238.tif 000004
【図３】
2009075238.tif 000005
【図４】
2009075238.tif 000006
【図５】
2009075238.tif 000007
【図６】
2009075238.tif 000008
【図７】
2009075238.tif 000009
【図８】
2009075238.tif 000010
【図９】
2009075238.tif 000011
【図１０】
2009075238.tif 000012
【図１１】
2009075238.tif 000013
【図１２】
2009075238.tif 000014
【図１３】
2009075238.tif 000015
【図１４】
2009075238.tif 000016
【図１５】
2009075238.tif 000017
【図１６】
2009075238.tif 000018
【図１７】
2009075238.tif 000019
【図１８】
2009075238.tif 000020
【図１９】
2009075238.tif 000021
【図２０】
2009075238.tif 000022
【図２１】
2009075238.tif 000023
【図２２】
2009075238.tif 000024
【図２３】
2009075238.tif 000025
【図２４】
2009075238.tif 000026